(57)【要約】【課題】火災感知器を利用し、火事等の緊急時に自動解錠できる施錠機構を提供する。【解決手段】。建物の窓や出入り口等の開口部１を開閉する面格子や扉等の開閉仕切具２の端部可動枠６ａと、端部可動枠６ａが当接する開口部１側の固定枠３との間に介装して、開閉仕切具２を閉鎖位置に施錠するための開閉仕切具施錠機構であって、端部可動枠６ａに取り付けられた係止片７と、係止片７に対し係脱自在な被係止片８を有し、固定枠３内で係止片７が被係止片８に係止する施錠位置と係止片が被係止片８から離脱する解錠位置とに亘って上下スライド可能に支持されるスライド杆９と、スライド杆９を施錠位置から解錠位置へ駆動する駆動手段１０とからなり、駆動手段１０は、平常時はスライド杆９を施錠位置に保持し、火事等の緊急時に火災感知器が熱又は煙を検知した検知信号によってスライド杆９を施錠位置から解錠位置に駆動させるようになっている。【選択図】図２
2008063811.tif 000002
【特許請求の範囲】
【請求項１】
建物の窓や出入り口等の開口部を開閉する面格子や扉等の開閉仕切具の端部可動枠と、端部可動枠が当接する開口部側の固定枠との間に介装して、開閉仕切具を閉鎖位置に施錠するための開閉仕切具施錠機構であって、
端部可動枠及び固定枠の何れか一方に取り付けられた係止片と、係止片に対し係脱自在な被係止片を有し、他方の枠内で係止片が被係止片に係止する施錠位置と係止片が被係止片から離脱する解錠位置とに亘って上下スライド可能に支持されるスライド杆と、スライド杆を施錠位置から解錠位置へ駆動する駆動手段とからなり、
駆動手段は、平常時はスライド杆を施錠位置に保持し、火事等の緊急時に火災感知器が熱又は煙を検知した検知信号によってスライド杆を施錠位置から解錠位置へ駆動させるようになっている開閉仕切具施錠機構。
【請求項２】
駆動手段は、モーターと、モーターの回転軸に同軸一体に連結されたネジ軸と、スライド杆に固定されていて、ネジ軸に螺合されるナット部材とからなり、モーターの正逆回転によってネジ軸及びナット部材を介してスライド杆を往復駆動するようになっている請求項１に記載の開閉仕切具施錠機構。
【請求項３】
駆動手段は、モーターと、モーターの回転軸に同軸一体に連結されたウォームと、ウォームに噛合するウォーム歯車と、ウォーム歯車とスライド杆とを枢支連結する連杆とからなり、モーターの回転によりウォーム、ウォーム歯車及び連杆を介してスライド杆を往復駆動するようになっている請求項１に記載の開閉仕切具施錠機構。
【請求項４】
駆動手段は、モーターと、モーターの回転軸に同軸一体に連結されたウォームと、ウォームに噛合するウォーム歯車と、ウォーム歯車に同心一体に設けられた引き上げ爪付きカムと、スライド杆に設けられた爪係止用ピンとからなり、モーターの回転によりウォーム及びウォーム歯車を介してカムが回転することにより、引き上げ爪がスライド杆の爪係止用ピンに引っ掛かって、スライド杆を施錠位置から解錠位置へスライドさせるようになっている請求項１に記載の開閉仕切具施錠機構。
【請求項５】
駆動手段は、ソレノイドと、ソレノイドのプランジャーに同軸一体に連結された支持杆と、長手方向一端部が前記他方の枠に枢着され、その長手方向中間部に支持杆の先端部が枢着された作動レバーと、スライド杆に設けられたレバー係止用ピンとからなるもので、ソレノイドへの通電によるプランジャーの作動により作動レバーが揺動して、この作動レバーの先端部でレバー係止用ピンを押し上げ、スライド杆を施錠位置から解錠位置へスライドさせるようになっている請求項１に記載の開閉仕切具施錠機構。
【発明の詳細な説明】
【技術分野】
【０００１】
本発明は、一戸建て住宅やマンションあるいはビル等における建物の窓や出入り口等の開口部を開閉する面格子、引き違い戸、扉、シャッター等の開閉仕切具を閉鎖位置に施錠する開閉仕切具施錠機構に関するもので、特に、火事等の緊急時に自動的に解錠できるようにした開閉仕切具施錠機構に関する。
【背景技術】
【０００２】
例えば面格子は、従来、防犯目的から窓開口部の室外側に固定して設けられていたが、固定式の面格子では、火災発生時等の緊急時には窓開口部からの脱出が阻まれて惨事を招くおそれがある。そこで本出願人は、例えば特許文献１に示すように、面格子を、窓開口部の外側へ開放回動可能な回動式としたり、窓開口部の側方へ開放移動可能なスライド式としたりして、平常時は施錠装置によりその面格子を窓開口部側の固定枠に対し施錠し、火災発生時等の緊急時にはその施錠を解錠し、面格子を開放して、窓開口部から緊急脱出及び住人を救出できる面格子を提案している。
【特許文献１】特許第３２４７６２４号公報
【発明の開示】
【発明が解決しようとする課題】
【０００３】
特許文献１その他に示す面格子では、施錠装置の解錠はあくまでも手動操作で行なうようになっており、しかもある程度の力を要することから、幼児や身障者等によっては解錠操作を行なうことが困難な場合がある。そこで、本発明は、熱又は煙を検知する火災感知器を利用して、火事等の緊急時に自動的に解錠でき、それによって誰でも容易迅速に脱出及び救出できるようにした開閉仕切具施錠機構を提供することを目的とする。
【課題を解決するための手段】
【０００４】
上記課題を解決するための手段を、後述する実施形態の参照符号を付して説明すると、請求項１に係る発明は、建物の窓や出入り口等の開口部１を開閉する面格子や扉等の開閉仕切具２の端部可動枠６ａと、端部可動枠６ａが当接する開口部１側の固定枠３との間に介装して、開閉仕切具２を閉鎖位置に施錠するための開閉仕切具施錠機構であって、
端部可動枠６ａ及び固定枠３の何れか一方に取り付けられた係止片７と、係止片７に対し係脱自在な被係止片８を有し、他方の枠内で係止片７が被係止片８に係止する施錠位置と係止片が被係止片８から離脱する解錠位置とに亘って上下スライド可能に支持されるスライド杆９と、スライド杆９を施錠位置から解錠位置へ駆動する駆動手段１０とからなり、
駆動手段１０は、平常時はスライド杆９を施錠位置に保持し、火事等の緊急時に火災感知器が熱又は煙を検知した検知信号によってスライド杆９を施錠位置から解錠位置へ駆動させるようになっていることを特徴とする。
【０００５】
請求項２は、請求項１に記載の開閉仕切具施錠機構において、駆動手段１０は、モーター１１と、モーター１１の回転軸１１ａに同軸一体に連結されたネジ軸１２と、スライド杆９に固定されていて、ネジ軸１２に螺合されるナット部材１３とからなり、モーター１１の正逆回転によってネジ軸１２及びナット部材１３を介してスライド杆９を往復駆動するようになっていることを特徴とする。
【０００６】
請求項３は、請求項１に記載の開閉仕切具施錠機構において、駆動手段１０は、モーター１１と、モーター１１の回転軸１１ａに同軸一体に連結されたウォーム１５と、ウォーム１５に噛合するウォーム歯車１６と、ウォーム歯車１６とスライド杆９とを枢支連結する連杆１７とからなり、モーター１１の回転によりウォーム１５、ウォーム歯車１６及び連杆１７を介してスライド杆９を往復駆動するようになっていることを特徴とする。
【０００７】
請求項４は、請求項１に記載の開閉仕切具施錠機構において、駆動手段１０は、モーター１１と、モーター１１の回転軸１１ａに同軸一体に連結されたウォーム１５と、ウォーム１５に噛合するウォーム歯車１６と、ウォーム歯車１６に同心一体に設けられた引き上げ爪１８ａ付きカム１８と、スライド杆９に設けられた爪係止用ピン１９とからなり、モーター１１の回転によりウォーム１５及びウォーム歯車１６を介してカム１８が回転することにより、引き上げ爪１８ａがスライド杆９の爪係止用ピン１９に引っ掛かって、スライド杆９を施錠位置から解錠位置へスライドさせるようになっていることを特徴としている。
【０００８】
請求項５は、請求項１に記載の開閉仕切具施錠機構において、駆動手段１０は、ソレノイド２１と、ソレノイド２１のプランジャー２２に同軸一体に連結された支持杆２３と、長手方向一端部が前記他方の枠３に枢着され、その長手方向中間部に支持杆２３の先端部が枢着された作動レバー２４と、スライド杆９に設けられたレバー係止用ピン２５とからなるもので、ソレノイド２１への通電によるプランジャー２２の作動により作動レバー２４が揺動して、この作動レバー２４の先端部でレバー係止用ピン２５を押し上げ、スライド杆９を施錠位置から解錠位置へスライドさせるようになっていることを特徴とする。
【発明の効果】
【０００９】
上記解決手段による発明の効果を、後述する実施形態の参照符号を付して説明すると、請求項１に係る発明によれば、火事等の緊急時に火災感知器Ｋが熱又は煙を検知した時、その検知信号により駆動手段１０が作動して、スライド杆９を自動的に施錠位置から解錠位置へスライドさせるから、開閉仕切具２の端部可動枠６ａを開放側へ移動させるだけで、窓開口部等の開口部１が開放され、従って屋内の住人は自ら容易に脱出できるし、またその住人を外部から容易に救出することができる。
【００１０】
請求項２に記載のように、駆動手段１０として、モーター１１と、これの回転軸１１ａに連結されたネジ軸１２と、スライド杆９に固定され、ネジ軸１２に螺合されるナット部材１３とからなるもので、モーター１１の正逆回転によりネジ軸１２及びナット部材１３を介してスライド杆９を往復駆動するようにしたものを使用できる。
【００１１】
請求項３に記載のように、駆動手段１０として、モーター１１と、これの回転軸１１ａに連結されたウォーム１５と、ウォーム歯車１６と、ウォーム歯車１６とスライド杆９とを枢支連結する連杆１７とからなるもので、モーター１１の回転によりウォーム１５、ウォーム歯車１６及び連杆１７を介してスライド杆９を往復駆動するようにしたものを使用できる。
【００１２】
請求項４に記載のように、駆動手段１０として、モーター１１と、これの回転軸１１ａに連結されたウォーム１５と、ウォーム歯車１６と、ウォーム歯車１６に一体に設けられた引き上げ爪１８ａ付きカム１８と、スライド杆９に設けられた爪係止用ピン１９とからなるもので、モーター１１の回転によりカム１８を回転させて、引き上げ爪１８ａでスライド杆９の爪係止用ピン１９を引き上げることにより、スライド杆９を施錠位置から解錠位置へスライドさせるようにしたものを使用できる。
【００１３】
請求項５に記載のように、駆動手段１０として、ソレノイド２１と、これのプランジャー２２に連結された支持杆２３と、作動レバー２４と、スライド杆９に設けられたレバー係止用ピン２５とからなるもので、ソレノイド２１への通電によるプランジャー２２の作動により作動レバー２４が揺動して、この作動レバー２４の先端部でレバー係止用ピン２５を押し上げることにより、スライド杆９を施錠位置から解錠位置へスライドさせるようにしたものを使用できる。
【発明を実施するための最良の形態】
【００１４】
以下に本発明の好適な実施形態を図面に基づいて説明すると、図１の(a) は開閉仕切具として使用した面格子が閉鎖位置にある状態を室内側から見た正面図であり、(b) は同面格子が一部開放位置にある状態の正面図である。この図１の(a) ，(b) において、１は建物の窓開口部で、この窓開口部１内に、開閉仕切具としての面格子２が配設されている。３は窓開口部１内の一端部に固定された固定枠で、この固定枠３と、面格子２の端部可動枠６ａとの間に、面格子２を閉鎖位置に施錠するための開閉仕切具施錠機構４が介装されている。
【００１５】
開閉仕切具としての面格子２は、例えば周知構造のスライド式面格子で、窓開口部１に固定して取り付けられる上下一対の中空状ガイドレール５，５と、両ガイドレール５，５上にこれを横切るように配置され且つガイドレール５の長手方向に並列状に配列される多数の格子６…と、ガイドレール５の中空部内に挿通される筒状部（図示省略）を有してガイドレール５にスライド可能に係嵌されると共に各格子６に固定されるスライダー（図示省略）と、このスライダーを介して格子６を所定間隔おきに連結固定する紐状体（図示省略）とからなり、紐状体は、各ガイドレール５の中空部内に挿通させると共に各スライダーの筒状部内に挿通させ、各スライダーは、その筒状部をかしめることによって紐状体の所定位置に固定させる。
【００１６】
そして、多数の格子６…のうち固定枠３に当接する格子６を端部可動枠６ａとし、この端部可動枠６ａと反対側の端部にある格子６を上下ガイドレール５，５の夫々端部に固定した状態で、端部可動枠６ａを固定枠３に接近するようにスライドさせると、隣接する格子６が紐状体で順次牽引されて一定間隔毎に配列され、図１の(a) のように窓開口部１が閉鎖される。また、端部可動枠６ａを固定枠３から離れる方向にスライドさせると、図１の(b) に示すように他の格子６も順次開放方向へ押されて、格子６全体が他端側へ片寄り状態に収縮し、窓開口部１が開放されるようになっている。
【００１７】
上記面格子２を閉鎖位置に施錠する開閉仕切具施錠機構４は、窓開口部１の固定枠３と面格子２の端部可動枠６ａとの間に介装されたもので、以下にこの施錠機構４の構造及び作用について説明する。
【００１８】
この施錠機構４は、図１に示すように、面格子２の端部可動枠６ａの上下２箇所に取り付けられた係止片７と、この係止片７に対し係脱自在な被係止片８を上下両端部に有し、窓開口部１側の固定枠３内で係止片７が被係止片８に係止する施錠位置と係止片７が被係止片８に対し離脱する解錠位置とに亘って上下スライド自在に支持されるスライド杆９と、このスライド杆９を施錠位置と解錠位置とに駆動する駆動手段１０とからなり、駆動手段１０は、平常時はスライド杆９を施錠位置に保持し、火事等の緊急時には火災感知器Ｋが熱又は煙を検知した検知信号によってスライド杆９を施錠位置から解錠位置へ駆動させるようになっている。
【００１９】
上記施錠機構４の構造について更に説明すると、スライド杆９は、図２に示すように、固定枠３の側壁部３ａと、固定枠３内に設けられたガイド部２０との間にスライド自在に配置されている。図１及び図２に例示される駆動手段１０は、モーター１１と、このモーター１１の回転軸１１ａに同軸一体に連結されたネジ軸１２と、スライド杆９の上端部に固定されていて、ネジ軸１２に螺合されるナット部材１３とからなるもので、モーター１１は、マイクロコンピュータからなる制御部１４を介して火災感知器Ｋに電気的に接続されている。
【００２０】
モーター１１は、正逆回転可能なモーターからなるもので、固定枠３内の上端部に設置されている。いま、図２の実線図示のようにスライド杆９が施錠位置に保持されている状態から、モーター１１が一方向に回転してナット部材１３が上動すると、このナット部材１３の上動によりスライド杆９が上向きにスライドし、しかしてスライド杆９が図２の仮想線で示す解錠位置までスライドすると、例えばリミットスイッチ（図示せず）の作動でモーター１１が停止し、スライド杆９は解錠位置に保持される。また、スライド杆９が解錠位置に保持された状態からモーター１１が逆回転すると、ナット部材１３が下動して、スライド杆９が下向きにスライドし、施錠位置までスライドすると、図示しないリミットスイッチの作動でモーター１１が停止し、スライド杆９は施錠位置に保持される。
【００２１】
火災感知器Ｋは、屋内の所要箇所に設置されている既設（又は新設）の火災感知器で、熱又は煙を検知し、この検知信号によって警報音を鳴らすもので、この検知信号はまた、制御部１４を通じてモーター１１に送られ、それによりモーター１１が回転して、施錠位置に保持されているスライド杆９を解錠位置までスライドさせるようになっている。
【００２２】
次に、上記したような構成よりなる開閉仕切具施錠機構４の作用について説明すると、平常時は、スライド杆９は、図２の実線図示のように、被係止片８が面格子２の端部可動枠６ａにある係止片７と係止した施錠位置に保持され、これにより面格子２は図１の(a)
に示す閉鎖位置に施錠されている。
【００２３】
そして、火災発生時等の緊急時に火災感知器Ｋが熱又は煙を検知すると、その検知信号が制御部１４からモーター１１に送られて、モーター１１が回転し、これによりナット部材１３が上動して、スライド杆９が図２の実線で示す施錠位置から同図の仮想線図示のような解錠位置まで急速スライドし、スライド杆９はこの解錠位置に保持される。
【００２４】
スライド杆９が解錠位置に保持されているから、面格子２の端部可動枠６ａを固定枠３から離れる方向へスライドさせれば、図１の(b) に示すように他の格子６も順次開放方向へ押されて、格子６全体が他端側へ片寄り状態に収縮し、窓開口部１が開放されて、ここから緊急脱出することができる。尚、この面格子２の開放操作は、室内側、室外側の何れの側からでも行なうことができる。
【００２５】
図３は駆動手段１０が図２の実施形態のものとは異なる構成部材からなる開閉仕切具施錠機構４を示す。この施錠機構４は、固定枠３内の上端部に設置されたモーター１１と、このモーター１１の回転軸１１ａに同軸一体に連結されたウォーム１５と、このウォーム１５に噛合するウォーム歯車１６と、このウォーム歯車１６とスライド杆９とを枢支連結する連杆１７とからなり、ウォーム歯車１６は固定枠３に軸支され、連杆１７の上端部はウォーム歯車１６の片面側所要部に、その下端部はスライド杆９の上端部に夫々ピンａ，ｂにより枢着されていて、モーター１１の回転によりウォーム１５、ウォーム歯車１６及び連杆１７を介してスライド杆９を往復駆動するようになっている。２０はスライド杆９のガイド部である。
【００２６】
スライド杆９は、平常時には、図３の実線図示のように施錠位置に保持されているが、災発生時等の緊急時に火災感知器Ｋが熱又は煙を検知すると、その検知信号が制御部１４からモーター１１に送られ、しかして制御部１４の制御指令により、モーター１１が回転し、ウォーム１５を介しウォーム歯車１６が反時計回りに１８０°回転して、スライド杆９が同図の仮想線で示す解錠位置まで上向きにスライドすると、モーター１１が停止してスライド杆９が解錠位置に保持される。これによって、面格子２を開放できる状態となる。
【００２７】
図４は駆動手段１０が更に他の構成部材からなる開閉仕切具施錠機構４を示す。この施錠機構４は、固定枠３内の上端部に設置されたモーター１１と、このモーター１１の回転軸１１ａに同軸一体に連結されたウォーム１５と、このウォーム１５に噛合するウォーム歯車１６と、このウォーム歯車１６に同心一体に設けられた引き上げ爪１８ａ付きカム１８と、スライド杆９の上端部に設けられた爪係止用ピン１９とからなるもので、モーターの回転によりウォーム及びウォーム歯車を介してカムが回転することにより、カム１８の引き上げ爪１８ａがスライド杆９の爪係止用ピン１９に引っ掛かって、スライド杆９を施錠位置から解錠位置へスライドさせるようになっている。カム１８は直径方向両側に一対の引き上げ爪１８ａ，１８ａを有する。
【００２８】
このスライド杆９も、平常時は図４の実線図示のように施錠位置に保持されているが、災発生時等の緊急時に火災感知器Ｋが熱又は煙を検知すると、その検知信号が制御部１４からモーター１１に送られ、しかして制御部１４の制御指令により、モーター１１が回転し、ウォーム１５を介してウォーム歯車１６及びカム１８が図４の実線図示位置から反時計回りに９０°回転すると、スライド杆９の爪係止用ピン１９がカム１８の引き上げ爪１８ａにより引き上げられ、それによってスライド杆９が施錠位置から解錠位置まで上向きにスライドし、スライド杆９は解錠位置に保持される。これによって、面格子２を開放できる状態となる。
【００２９】
スライド杆９を解錠位置から施錠位置に戻す時は、図４の仮想線で示す解錠状態から、モーター１１を回転させてウォーム歯車１６及びカム１８を反時計回りに９０°回転すれば、スライド杆９は自重で下向きにスライドして施錠位置に復帰し、図４の実線で示す状態となる。尚、図示は省略するが、スライド杆９の下端側所要部には、スライド杆９を施錠位置に保持するためのストッパーを設けている。
【００３０】
図５は駆動手段１０が更に他の構成部材からなる開閉仕切具施錠機構４を示す。この施錠機構４は、ソレノイド２１と、このソレノイド２１のプランジャー２２に同軸一体に連結された支持杆２３と、長手方向一端部が固定枠３にピン２６で枢着され、その長手方向中間部に支持杆２３の先端部がピン２７で枢着された作動レバー２４と、スライド杆９に設けられたレバー係止用ピン２５とからなり、ソレノイド２１は、電磁石に電流を流すと鉄片を吸引することを利用したアクチュエータで、往復直線運動をするプランジャー２２を有し、ソレノイド２１の通電によるプランジャー２２の作動により作動レバー２４が揺動して、この作動レバー２４の先端部でレバー係止用ピン２５を押し上げ、スライド杆９を施錠位置から解錠位置へスライドさせるようになっている。
【００３１】
図５では、図示は省略するが、スライド杆９は、平常時は施錠位置に保持されている。しかして、災発生時等の緊急時に火災感知器Ｋが熱又は煙を検知すると、その検知信号が制御部１４からソレノイド２１に送られて、制御部１４の制御指令により、常時は伸張状態にあるプランジャー２２が収縮作動して、作動レバー２４が図５の実線で示す状態から上向きに揺動して、この作動レバー２４の先端部にてレバー係止用ピン２５を押し上げ、これによりスライド杆９を施錠位置から解錠位置へスライドさせて、この解錠位置に保持するようになっている。
【００３２】
以上、本発明に係る開閉仕切具施錠機構４を、開閉仕切具として図１に示すような面格子２に使用する場合について説明したが、この開閉仕切具施錠機構４が適用される開閉仕切具は、面格子に限らず、引き違い戸、扉（開き戸、ドア）、シャッター等を含むものである。また本発明の開閉仕切具施錠機構４は、引き込みタイプの開閉仕切具、一部取外しタイプの開閉仕切具等にも適用可能である。また開閉仕切具としての面格子は、この実施形態に示したスライドタイプのもの以外の例えば開きタイプなど各種の面格子を使用できる。
【００３３】
また上述した実施形態では、係止片７を端部可動枠６ａ側に取り付け、被係止片８を有するスライド杆９を固定枠３側に設けたが、開閉仕切具によっては、端部可動枠６ａ側に被係止片８を有するスライド杆９を設け、固定枠３側に係止片７を取り付けてもよい。また実施形態で示した係止片７及び被係止片８の構造は、あくまでもスライド式面格子２に使用される構造であって、開き戸や引き込みタイプの開閉仕切具に使用する場合は、その係止片及び被係止片を、開き戸や引き込みタイプの開閉仕切具に対応し得る構造とすればよいわけである。
【図面の簡単な説明】
【００３４】
【図１】(a) は開閉仕切具として用いた面格子が閉鎖位置にある状態を室内側から見た正面図、(b) は同面格子が一部開放位置にある状態の正面図である。
【図２】図１の(a) の一部拡大図である。
【図３】駆動手段が図２に示す実施形態のものとは異なる構成部材からなる開閉仕切具施錠機構を示す図２とほぼ同様な説明図である。
【図４】駆動手段が更に他の異なる構成部材からなる開閉仕切具施錠機構を示す説明図である。
【図５】駆動手段が更に他の異なる構成部材からなる開閉仕切具施錠機構を示す説明図である。
【符号の説明】
【００３５】
１            窓開口部（開口部）
２            面格子（開閉仕切具）
３            固定枠
４            開閉仕切具施錠機構
６ａ          端部可動枠
７            係止片
８            被係止片
９            スライド杆
Ｋ            火災感知器
１０          駆動手段
１１          モーター
１２          ネジ軸
１３          ナット部材
１４          制御部
１５          ウォーム
１６          ウォーム歯車
１７          連杆
１８          引き上げ爪付きカム
１８ａ        引き上げ爪
１９          爪係止用ピン
２１          ソレノイド
２２          プランジャー
２３          支持杆
２４          作動レバー
２５          レバー係止用ピン
【図１】
2008063811.tif 000003
【図２】
2008063811.tif 000004
【図３】
2008063811.tif 000005
【図４】
2008063811.tif 000006
【図５】
2008063811.tif 000007